【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
受信デバイスとの通信に使用されるスロットの持続時間を特定することと、
前記受信デバイスとの前記通信が時分割複信（ＴＤＤ）構成システムにおいて周波数分割複信（ＦＤＤ）通信を備えると決定することと、
前記スロットの第１の部分の間に前記受信デバイスに通信を送信することと、前記第１の部分の持続時間が、前記スロットの前記持続時間よりも短く、前記ワイヤレスシステムのＴＤＤ構成に少なくとも部分的に基づく、
前記通信がＦＤＤ通信を備え、前記通信が前記スロットの前記第１の部分の間に送信されるとの前記決定に少なくとも部分的に基づいて、前記通信の間に使用すべきハイブリッド自動再送要求（ＨＡＲＱ）フィードバックタイミング方式を選択することとを備え、ここにおいて、前記スロット内の前記ＦＤＤ通信のダウンリンクおよびアップリンク通信が、前記送信された通信と同じスロット内でＨＡＲＱフィードバックを受信することをサポートするためにＴＤＤ通信と時間整合される、
方法。
【請求項２】
前記スロットの第２の部分の間にＨＡＲＱフィードバックメッセージを受信することに少なくとも部分的に基づいて前記スロットの前記第２の部分の持続時間を選択することをさらに備える、請求項１に記載の方法。
【請求項３】
新無線（ＮＲ）システムにおいて、前記スロットの第２の部分の間の通信のためのミニスロットを構成することをさらに備える、請求項１に記載の方法。
【請求項４】
前記ミニスロットの間の前記通信は、前記受信デバイスまたは異なる受信デバイスの通信用である、または、
前記ミニスロットは、前記スロットの前記第２の部分の持続時間と同じである関連する持続時間を有する、請求項３に記載の方法。
【請求項５】
前記スロットの前記第１の部分の間に送信される前記通信および前記ミニスロットを多重化すること、ここにおいて、前記多重化が時分割多重化を備える、をさらに備える、または、
前記スロットの前記第１の部分は、時間的に前記スロットの前記第２の部分に先行する、または、
前記スロットの前記第２の部分は、時間的に前記スロットの前記第１の部分に先行する、請求項３に記載の方法。
【請求項６】
前記ＨＡＲＱ方式に少なくとも部分的に基づいて、前記スロットの第２の部分の間に前記受信デバイスからＨＡＲＱフィードバックメッセージを受信することをさらに備える、または、
前記スロットが時分割複信（ＴＤＤ）通信プロトコルに従って構成されていると決定すること、ここにおいて、前記スロットの第２の部分が、前記ＴＤＤ通信プロトコルに少なくとも部分的に基づいて選択される、をさらに備える、または、
前記スロットの前記第１の部分の間に、前記受信デバイスからの通信を受信することと、
前記ＨＡＲＱ方式に従って、前記スロットの第２の部分の間に前記受信デバイスにＨＡＲＱメッセージを送信することと、前記ＨＡＲＱメッセージが、前記受信された通信に少なくとも部分的に基づいて送信される、をさらに備える、請求項１に記載の方法。
【請求項７】
前記ＨＡＲＱ方式は、前記スロットの間にＨＡＲＱフィードバックメッセージを通信することを備える、または、
前記ＨＡＲＱ方式は、時間的に前記スロットに続いて生じるスロットの間にＨＡＲＱフィードバックメッセージを通信することを備える、請求項１に記載の方法。
【請求項８】
前のスロットにおけるデータ送信が前記前のスロットの全持続時間にわたって送信されたと決定することと、
前記ＨＡＲＱ方式に少なくとも部分的に基づいて、前記スロットの間の制御チャネルの送信を遅延させることとをさらに備える、請求項１に記載の方法。
【請求項９】
前記スロットの前記第１の部分の間に許可メッセージを送信すること、または、をさらに備える、請求項１に記載の方法。
【請求項１０】
前記受信デバイスとの前記通信は、アップリンク通信を備える、または、
前記受信デバイスとの前記通信は、ダウンリンク通信を備える、請求項１に記載の方法。
【請求項１１】
利用可能なＨＡＲＱ方式のプールを示す信号を受信すること、ここにおいて、前記選択されるＨＡＲＱ方式が、利用可能なＨＡＲＱ方式の前記プールから得られる、をさらに備え、
前記信号は、無線リソース制御信号を備える、請求項１に記載の方法。
【請求項１２】
ワイヤレス通信のための装置であって、
受信デバイスとの通信に使用されるスロットの持続時間を特定するための手段と、
前記受信デバイスとの前記通信が時分割複信（ＴＤＤ）システムにおいて周波数分割複信（ＦＤＤ）通信を備えると決定するための手段と、
前記スロットの第１の部分の間に前記受信デバイスに通信を送信するための手段と、前記第１の部分の持続時間が、前記スロットの前記持続時間よりも短く、前記ワイヤレスシステムのＴＤＤ構成に少なくとも部分的に基づく、
前記通信がＦＤＤ通信を備え、前記通信が前記スロットの前記第１の部分の間に送信されるとの前記決定に少なくとも部分的に基づいて、前記通信の間に使用すべきハイブリッド自動再送要求（ＨＡＲＱ）フィードバックタイミング方式を選択するための手段とを備え、ここにおいて、前記スロット内の前記ＦＤＤ通信のダウンリンクおよびアップリンク通信が、前記送信された通信と同じスロット内でＨＡＲＱフィードバックを受信することをサポートするためにＴＤＤ通信と時間整合される、装置。
【請求項１３】
前記スロットの第２の部分の間にＨＡＲＱフィードバックメッセージを受信することに少なくとも部分的に基づいて前記スロットの前記第２の部分の持続時間を選択するための手段をさらに備える、請求項１２に記載の装置。
【請求項１４】
新無線（ＮＲ）システムにおいて、前記スロットの第２の部分の間の通信のためのミニスロットを構成するための手段をさらに備える、請求項１２に記載の装置。
【請求項１５】
ワイヤレス通信のためのコードを記憶している非一時的コンピュータ可読媒体であって、前記コードは、請求項１〜１１のうちのいずれに記載の方法を行うためにプロセッサによって実行可能である命令を備える、非一時的コンピュータ可読媒体。
【手続補正２】
【補正対象書類名】明細書
【補正対象項目名】０１５７
【補正方法】変更
【補正の内容】
【０１５７】
[0168]本明細書の説明は、当業者が本開示を作成または使用することができるように与えたものである。本開示への様々な変更は当業者には容易に明らかとなり、本明細書で定義された一般原理は、本開示の範囲から逸脱することなく他の変形形態に適用され得る。したがって、本開示は、本明細書で説明した例および設計に限定されず、本明細書で開示される原理および新規の特徴に合致する最も広い範囲を与えられるべきである。
以下に本願の出願当初の特許請求の範囲に記載された発明を付記する。
[Ｃ１]  ワイヤレス通信のための方法であって、
受信デバイスとの通信に使用されるスロットの持続時間を特定することと、
前記受信デバイスとの前記通信が周波数分割複信（ＦＤＤ）通信を備えると決定することと、
前記スロットの第１の部分の間に前記受信デバイスに通信を送信することと、前記第１の部分の持続時間が、前記スロットの前記持続時間よりも短く、前記第１の部分の前記持続時間が、前記通信がＦＤＤ通信を備えるとの前記決定に少なくとも部分的に基づく、  前記通信がＦＤＤ通信を備え、前記通信が前記スロットの前記第１の部分の間に送信されるとの前記決定に少なくとも部分的に基づいて、前記通信の間に使用すべきハイブリッド自動再送要求（ＨＡＲＱ）方式を選択することとを備える方法。
[Ｃ２]  前記スロットの第２の部分の間にＨＡＲＱフィードバックメッセージを受信することに少なくとも部分的に基づいて前記スロットの前記第２の部分の持続時間を選択することをさらに備える、Ｃ１に記載の方法。
[Ｃ３]  前記スロットの第２の部分の間の通信のためのミニスロットを構成することをさらに備える、Ｃ１に記載の方法。
[Ｃ４]  前記ミニスロットの間の前記通信は、前記受信デバイスまたは異なる受信デバイスの通信用である、Ｃ３に記載の方法。
[Ｃ５]  前記ミニスロットは、前記スロットの前記第２の部分の持続時間と実質的に同じである関連する持続時間を有する、Ｃ３に記載の方法。
[Ｃ６]  前記スロットの前記第１の部分の間に送信される前記通信および前記ミニスロットを多重化すること、ここにおいて、前記多重化が時分割多重化を備える、をさらに備える、Ｃ３に記載の方法。
[Ｃ７]  前記スロットの前記第１の部分は、時間的に前記スロットの前記第２の部分に先行する、Ｃ３に記載の方法。
[Ｃ８]  前記スロットの前記第２の部分は、時間的に前記スロットの前記第１の部分に先行する、Ｃ３に記載の方法。
[Ｃ９]  前記ＨＡＲＱ方式に少なくとも部分的に基づいて、前記スロットの第２の部分の間に前記受信デバイスからＨＡＲＱフィードバックメッセージを受信することをさらに備える、Ｃ１に記載の方法。
[Ｃ１０]  前記スロットが時分割複信（ＴＤＤ）通信プロトコルに従って構成されていると決定すること、ここにおいて、前記スロットの第２の部分が、前記ＴＤＤ通信プロトコルに少なくとも部分的に基づいて選択される、をさらに備える、Ｃ１に記載の方法。
[Ｃ１１]  前記スロットの前記第１の部分の間に、前記受信デバイスからの通信を受信することと、
前記ＨＡＲＱ方式に従って、前記スロットの第２の部分の間に前記受信デバイスにＨＡＲＱメッセージを送信することと、前記ＨＡＲＱメッセージが、前記受信された通信に少なくとも部分的に基づいて送信される、をさらに備える、Ｃ１に記載の方法。
[Ｃ１２]  前記ＨＡＲＱ方式は、前記スロットの間にＨＡＲＱフィードバックメッセージを通信することを備える、Ｃ１に記載の方法。
[Ｃ１３]  前記ＨＡＲＱ方式は、時間的に前記スロットに続いて生じるスロットの間にＨＡＲＱフィードバックメッセージを通信することを備える、Ｃ１に記載の方法。
[Ｃ１４]  前のスロットにおけるデータ送信が前記前のスロットの全持続時間にわたって送信されたと決定することと、
前記ＨＡＲＱ方式に少なくとも部分的に基づいて、前記スロットの間の制御チャネルの送信を遅延させることとをさらに備える、Ｃ１に記載の方法。
[Ｃ１５]  前記スロットの前記第１の部分の間に許可メッセージを送信することをさらに備える、Ｃ１に記載の方法。
[Ｃ１６]  前記受信デバイスとの前記通信は、アップリンク通信を備える、Ｃ１に記載の方法。
[Ｃ１７]  前記受信デバイスとの前記通信は、ダウンリンク通信を備える、Ｃ１に記載の方法。
[Ｃ１８]  利用可能なＨＡＲＱ方式のプールを示す信号を受信すること、ここにおいて、前記選択されるＨＡＲＱ方式が、利用可能なＨＡＲＱ方式の前記プールから得られる、をさらに備える、Ｃ１に記載の方法。
[Ｃ１９]  前記信号は、無線リソース制御信号を備える、Ｃ１８に記載の方法。
[Ｃ２０]  ワイヤレス通信のための装置であって、
受信デバイスとの通信に使用されるスロットの持続時間を特定するための手段と、
前記受信デバイスとの前記通信が周波数分割複信（ＦＤＤ）通信を備えると決定するための手段と、
前記スロットの第１の部分の間に前記受信デバイスに通信を送信するための手段と、前記第１の部分の持続時間が、前記スロットの前記持続時間よりも短く、前記第１の部分の前記持続時間が、前記通信がＦＤＤ通信を備えるとの前記決定に少なくとも部分的に基づく、
前記通信がＦＤＤ通信を備え、前記通信が前記スロットの前記第１の部分の間に送信されるとの前記決定に少なくとも部分的に基づいて、前記通信の間に使用すべきハイブリッド自動再送要求（ＨＡＲＱ）方式を選択するための手段とを備える装置。
[Ｃ２１]  前記スロットの第２の部分の間にＨＡＲＱフィードバックメッセージを受信することに少なくとも部分的に基づいて前記スロットの前記第２の部分の持続時間を選択するための手段をさらに備える、Ｃ２０に記載の装置。
[Ｃ２２]  前記スロットの第２の部分の間の通信のためのミニスロットを構成するための手段をさらに備える、Ｃ２０に記載の装置。
[Ｃ２３]  前記ミニスロットの間の前記通信は、前記受信デバイスまたは異なる受信デバイスの通信用である、Ｃ２２に記載の装置。
[Ｃ２４]  前記ミニスロットは、前記スロットの前記第２の部分の持続時間と実質的に同じである関連する持続時間を有する、Ｃ２２に記載の装置。
[Ｃ２５]  前記スロットの前記第１の部分の間に送信される前記通信および前記ミニスロットを多重化するための手段、ここにおいて、前記多重化が時分割多重化を備える、をさらに備える、Ｃ２２に記載の装置。
[Ｃ２６]  前記スロットの前記第１の部分は、時間的に前記スロットの前記第２の部分に先行する、Ｃ２２に記載の装置。
[Ｃ２７]  前記スロットの前記第２の部分は、時間的に前記スロットの前記第１の部分に先行する、Ｃ２２に記載の装置。
[Ｃ２８]  前記ＨＡＲＱ方式に少なくとも部分的に基づいて、前記スロットの第２の部分の間に前記受信デバイスからＨＡＲＱフィードバックメッセージを受信するための手段をさらに備える、Ｃ２０に記載の装置。
[Ｃ２９]  ワイヤレス通信のための装置であって、
プロセッサと、
前記プロセッサと電子通信しているメモリと、
前記メモリに記憶され、前記装置に、
受信デバイスとの通信に使用されるスロットの持続時間を特定することと、
前記受信デバイスとの前記通信が周波数分割複信（ＦＤＤ）通信を備えると決定することと、
前記スロットの第１の部分の間に前記受信デバイスに通信を送信することと、前記第１の部分の持続時間が、前記スロットの前記持続時間よりも短く、前記第１の部分の前記持続時間が、前記通信がＦＤＤ通信を備えるとの前記決定に少なくとも部分的に基づく、    前記通信がＦＤＤ通信を備え、前記通信が前記スロットの前記第１の部分の間に送信されるとの前記決定に少なくとも部分的に基づいて、前記通信の間に使用すべきハイブリッド自動再送要求（ＨＡＲＱ）方式を選択することとを行わせるように前記プロセッサによって実行可能である命令とを備える装置。
[Ｃ３０]  ワイヤレス通信のためのコードを記憶している非一時的コンピュータ可読媒体であって、前記コードは、
受信デバイスとの通信に使用されるスロットの持続時間を特定することと、
前記受信デバイスとの前記通信が周波数分割複信（ＦＤＤ）通信を備えると決定することと、
前記スロットの第１の部分の間に前記受信デバイスに通信を送信することと、前記第１の部分の持続時間が、前記スロットの前記持続時間よりも短く、前記第１の部分の前記持続時間が、前記通信がＦＤＤ通信を備えるとの前記決定に少なくとも部分的に基づく、  前記通信がＦＤＤ通信を備え、前記通信が前記スロットの前記第１の部分の間に送信されるとの前記決定に少なくとも部分的に基づいて、前記通信の間に使用すべきハイブリッド自動再送要求（ＨＡＲＱ）方式を選択することとを行うためにプロセッサによって実行可能である命令を備える、非一時的コンピュータ可読媒体。